(57)【特許請求の範囲】
【請求項１】
第１の面と、当該第１の面とは反対側に位置する第２の面とを有し、缶胴の開口に取り付けられるパネルと、
前記パネルに形成され、当該パネルに開口が形成される際に破断するスコア線と、
前記パネルの前記第１の面側に設けられ、一端部および他端部を有し、ユーザにより当該他端部側が操作されることで当該一端部が前記パネルに接触し当該パネルのうちの前記スコア線により囲まれた部位を押圧するタブと、
前記タブのうち前記一端部と前記他端部との間に位置する部位を、前記パネルのうちの前記スコア線により囲まれた前記部位へ固定するリベットと、
前記パネルの前記第１の面側に設けられ、前記リベットよりも前記タブの前記他端部側に設けられ、一端が当該リベットに接続され他端が当該タブに接続され、当該タブの当該他端部に対するユーザの操作により当該他端部が前記パネルから離れる方向に移動するのに伴い変位する当該タブの当該パネルに対する角度が予め定められた角度となるまで伸長する伸長部と、
を備え、
前記スコア線にて破断が生じて舌片状の部位が形成され、前記パネルの前記第２の面側に向かうように当該舌片状の部位が曲げられ、さらに、当該舌片状の部位の形成が行われる際、前記伸長部の伸長が行われ、
前記第２の面側に曲げられる前記舌片状の部位とともに前記リベットが移動し、伸長が行われた前記伸長部も、当該第２の面側に移動するように構成された缶蓋。
【請求項２】
缶胴の開口に取り付けられるパネルと、
前記パネルに形成され、当該パネルに開口が形成される際に破断するスコア線と、
一端部および他端部を有し、ユーザにより当該他端部側が操作されることで当該一端部が前記パネルに接触し当該パネルのうちの前記スコア線により囲まれた部位を押圧するタブと、
前記タブのうち前記一端部と前記他端部との間に位置する部位を前記パネルへ固定するリベットと、
前記リベットよりも前記タブの前記他端部側に設けられ、一端が当該リベットに接続され他端が当該タブに接続され、当該タブの当該他端部に対するユーザの操作により当該他端部が前記パネルから離れる方向に移動するのに伴い変位する当該タブの当該パネルに対する角度が予め定められた角度となるまで伸長する伸長部と、
を備え、
前記伸長部には、スリット又は破断可能な溝が形成された板材が設けられ、前記タブからの荷重により当該板材の一部が引っ張られることで当該板材が紐状となり当該伸長部の前記伸長が行われることを特徴とする缶蓋。
【請求項３】
前記伸長部は、前記タブの前記パネルに対する前記角度が前記予め定められた角度となった場合に前記伸長を停止することを特徴とする請求項１又は２に記載の缶蓋。
【請求項４】
前記スコア線は、前記パネルを正面から眺めた場合にＵ字状に形成され、当該パネルの中心部側および周縁部側のうちの当該周縁部側に頂部を有するとともに当該パネルの当該中心部側に一端部および他端部を有し、
前記リベットは、前記パネルのうちの前記スコア線により囲まれた前記部位であって当該スコア線の前記一端部および前記他端部よりも前記頂部側に位置する部位に対して前記タブを固定することを特徴とする請求項１乃至３の何れかに記載の缶蓋。
【請求項５】
ユーザにより操作され前記タブの前記他端部が前記パネルから離れる方向に移動する際、当該ユーザからの操作力が前記伸長部を介して前記リベットに伝達され、当該リベットが当該パネルから離れる方向に引っ張られ、
前記タブの前記他端部がユーザにより操作されることで前記一端部が前記スコア線により囲まれた前記部位に接触し当該一端部が当該部位を押圧し、
前記リベットに対する前記引っ張り、および、前記タブの前記一端部による前記部位の前記押圧によって、前記スコア線により囲まれた当該部位に回転モーメントが作用することを特徴とする請求項４記載の缶蓋。
【請求項６】
前記伸長部は、板材により形成されるとともに当該板材が屈曲した屈曲部を有し、当該屈曲部が伸びることで前記伸長を行うことを特徴とする請求項１に記載の缶蓋。
【請求項７】
前記伸長部は、前記タブと一体で形成されていることを特徴とする請求項１乃至６の何れかに記載の缶蓋。
【請求項８】
開口を有し飲料を内部に収容した缶胴と、当該缶胴の当該開口を塞ぐ缶蓋とを有した飲料缶であって、
前記缶蓋は、
前記缶胴の前記開口に取り付けられるパネルと、
前記パネルに形成され、当該パネルに開口が形成される際に破断するスコア線と、
一端部および他端部を有し、ユーザにより当該他端部側が操作されることで当該一端部が前記パネルに接触し当該パネルのうちの前記スコア線により囲まれた部位を押圧するタブと、
前記タブのうち前記一端部と前記他端部との間に位置する部位を、前記パネルのうちの前記スコア線により囲まれた前記部位へ固定するリベットと、
前記リベットよりも前記タブの前記他端部側に設けられ、一端が当該リベットに接続され他端が当該タブに接続され、当該タブの当該他端部に対するユーザの操作により当該他端部が前記パネルから離れる方向に移動するのに伴い変位する当該タブの当該パネルに対する角度が予め定められた角度となるまで伸長する伸長部と、
を備え、
前記スコア線にて破断が生じて舌片状の部位が形成され、前記飲料缶の内部側に当該舌片状の部位が曲げられ、さらに、当該舌片状の部位の形成が行われる際、前記伸長部の伸長が行われ、
前記飲料缶の内部側に曲げられる前記舌片状の部位とともに前記リベットが移動し、伸長が行われた前記伸長部も、当該飲料缶の内部側に移動することを特徴とする飲料缶。
【請求項９】
開口を有し飲料を内部に収容した缶胴と、当該缶胴の当該開口を塞ぐ缶蓋とを有し、
前記缶蓋は、
前記缶胴の前記開口に取り付けられるパネルと、
前記パネルに形成され、当該パネルに開口が形成される際に破断するスコア線と、
一端部および他端部を有し、ユーザにより当該他端部側が操作されることで当該一端部が前記パネルに接触し当該パネルのうちの前記スコア線により囲まれた部位を押圧するタブと、
前記タブのうち前記一端部と前記他端部との間に位置する部位を前記パネルへ固定するリベットと、
前記リベットよりも前記タブの前記他端部側に設けられ、一端が当該リベットに接続され他端が当該タブに接続され、当該タブの当該他端部に対するユーザの操作により当該他端部が前記パネルから離れる方向に移動するのに伴い変位する当該タブの当該パネルに対する角度が予め定められた角度となるまで伸長する伸長部と、
を備え、
前記伸長部には、スリット又は破断可能な溝が形成された板材が設けられ、前記タブからの荷重により当該板材の一部が引っ張られることで当該板材が紐状となり当該伸長部の前記伸長が行われることを特徴とする飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
ここで、タブのうちユーザにより引き上げられる側と、タブをパネルに固定するリベットと、を接続する接続部を設けた場合、タブの引き起こしがなされる際に、リベットを上方に引き上げる力がこの接続部からリベットに作用するようになる。そしてこのように引き上げる力がリベットに作用すると、この引き上げる力とタブがパネルを押圧する力とによってパネルに対し回転モーメントが作用するようになる。そしてこのような回転モーメントが作用する場合、例えば、パネルのうちリベットが設けられた箇所も飲料缶の内部まで入れ込むことが可能となる。ところで、上記のように接続部を設けた場合、タブの変位が接続部により規制されやすくなり、タブの引き起こしを行う際、タブとパネルとの間に指が入りにくくなる。そしてこの場合、飲み口としての機能する開口をパネルに形成する際のタブの操作性が低下する。
【課題を解決するための手段】
【０００５】
本発明が適用される缶蓋は、缶胴の開口に取り付けられるパネルと、パネルに形成され、パネルに開口が形成される際に破断するスコア線と、一端部および他端部を有し、ユーザにより他端部側が操作されることで一端部がパネルに接触しパネルのうちのスコア線により囲まれた部位を押圧するタブと、タブのうち一端部と他端部との間に位置する部位をパネルへ固定するリベットと、リベットよりもタブの他端部側に設けられ、一端がリベットに接続され他端がタブに接続され、タブの他端部に対するユーザの操作により他端部がパネルから離れる方向に移動するのに伴い変位するタブのパネルに対する角度が予め定められた角度となるまで伸長する伸長部と、を備える缶蓋である。
【０００６】
ここで、伸長部は、タブのパネルに対する角度が予め定められた角度となった場合に伸長を停止することを特徴とすることができる。
また、スコア線は、パネルを正面から眺めた場合にＵ字状に形成され、パネルの中心部側および周縁部側のうちの周縁部側に頂部を有するとともにパネルの中心部側に一端部および他端部を有し、リベットは、パネルのうちのスコア線により囲まれた部位であってスコア線の一端部および他端部よりも頂部側に位置する部位に対してタブを固定することを特徴とすることができる。
さらに、ユーザにより操作されタブの他端部がパネルから離れる方向に移動する際、ユーザからの操作力が伸長部を介してリベットに伝達され、リベットがパネルから離れる方向に引っ張られ、タブの他端部がユーザにより操作されることで一端部がスコア線により囲まれた部位に接触し一端部が部位を押圧し、リベットに対する引っ張り、および、タブの一端部による部位の押圧によって、スコア線により囲まれた部位に回転モーメントが作用することを特徴とすることができる。
また、伸長部は、板材により形成されるとともに板材が屈曲した屈曲部を有し、屈曲部が伸びることで伸長を行うことを特徴とすることができる。
さらに、伸長部には、スリット又は破断可能な溝が形成された板材が設けられ、タブからの荷重により板材の一部が引っ張られることで板材が紐状となり伸長部の伸長が行われることを特徴とすることができる。
また、伸長部は、タブと一体で形成されていることを特徴とすることができる。
【０００７】
また本発明を飲料缶と捉えた場合、本発明が適用される飲料缶は、開口を有し飲料を内部に収容した缶胴と、缶胴の開口を塞ぐ缶蓋とを有し、缶蓋は、缶胴の開口に取り付けられるパネルと、パネルに形成され、パネルに開口が形成される際に破断するスコア線と、一端部および他端部を有し、ユーザにより他端部側が操作されることで一端部がパネルに接触しパネルのうちのスコア線により囲まれた部位を押圧するタブと、タブのうち一端部と他端部との間に位置する部位をパネルへ固定するリベットと、リベットよりもタブの他端部側に設けられ、一端がリベットに接続され他端がタブに接続され、タブの他端部に対するユーザの操作により他端部がパネルから離れる方向に移動するのに伴い変位するタブのパネルに対する角度が予め定められた角度となるまで伸長する伸長部と、を備えることを特徴とする飲料缶である。
【発明の効果】
【０００８】
本発明によれば、リベットとタブとを接続する接続部を設けたとしても、タブの操作性の低下を抑制可能な缶蓋等を提供することができる。
【図面の簡単な説明】
【０００９】
【図１】本実施の形態が適用される飲料缶の上面図である。
【図２−１】タブが取り付けられる前のパネルの状態を示した正面図である。
【図２−２】パネルの状態を説明するための図である。
【図３】タブを説明するための図である。
【図４】タブを説明するための図である。
【図５】ユーザによりタブが操作されパネルに開口が形成された際の状態を示した図である。
【図６】缶蓋の他の構成例を示した図である。
【図７】溝の他の態様を示した図である。
【図８】溝の他の態様を示した図である。
【図９】溝の他の態様を示した図である。
【図１０】溝の他の態様を示した図である。
【図１１】溝の他の態様を示した図である。
【図１２】溝の形状の一例を示した図である。
【図１３】パネルの他の一形態を示した正面図である。
【図１４】タブの他の一形態を示した図である。
【図１５】タブの伸長部の他の構成例を示した図である。
【図１６】引き起こし操作がなされた際のタブを示した図である。
【図１７】伸長部の他の一形態を説明するための図である。
【図１８】引き起こし操作がなされた際のタブを示した図である。
【図１９】伸長部の他の一形態を説明するための図である。
【図２０】引き起こし操作がなされる際のタブの状態を示した図である。
【発明を実施するための形態】
【００１０】
以下、添付図面を参照して、本発明の実施の形態について詳細に説明する。
図１は、本実施の形態が適用される飲料缶１００の上面図である。この飲料缶１００は、上部に開口を有するとともに下部に底部を有し且つ筒状に形成された容器本体（缶胴）２００と、容器本体２００の開口に取り付けられ容器本体２００の開口を塞ぐ缶蓋３００とを有している。なお飲料缶１００の内部には、清涼飲料、炭酸飲料、アルコール飲料などの飲料が充填（収容）されている。
【００１１】
缶蓋３００は、円盤状に形成され基板として機能するパネル４００を有している。また缶蓋３００は、ユーザにより操作されるタブ５００を有している。タブ５００は、パネル４００に取り付けられ、ユーザにより操作されることでパネル４００のうちの予め定められた箇所（詳細は後述）を押圧する。なお本実施形態における缶蓋３００は、飲み口として機能する開口がパネル４００に形成された後もタブ５００がパネル４００に取り付けられた状態を維持するいわゆるステイオンタイプの缶蓋である。ここで本実施形態では、タブ５００は、パネル４００の中央部（中心）からずれた位置に設けられたリベット９００によってパネル４００に固定されている。付言すると、タブ５００は、パネル４００に対して偏心した状態で設けられたリベット９００によってパネル４００に固定されている。なお本実施形態では、タブ５００が、パネル４００の中央部からずれた位置に設けられたリベット９００によってパネル４００に固定されている場合を一例に説明するが、タブ５００は、パネル４００の中央部に設けられたリベット９００によってパネル４００に固定することもできる。
【００１２】
図２−１は、タブ５００が取り付けられる前のパネル４００の状態を示した正面図である。
パネル４００は、上記のとおり円盤状に形成されている。またパネル４００は、曲げ加工が施された外周縁４１０を有している。本実施形態では、この外周縁４１０と容器本体２００の上縁部（不図示）とが互いに接触した状態で、この外周縁４１０および上縁部に対しいわゆる巻き締め加工が施される。これにより、パネル４００が容器本体２００の上縁部に固定される。またパネル４００には、タブ５００がパネル４００に固定される際に押しつぶされ上述したリベット９００となる突出部（ニップル）４２０が形成されている。ここでこの突出部４２０は、パネル４００の中心部ＣＰから外れた箇所に設けられている。
【００１３】
また本実施形態では、パネル４００の表面に、第１スコア線４３０が形成されている。この第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。また第１スコア線４３０は、パネル４００を正面から眺めた場合に略Ｕ字状に形成されている。さらに第１スコア線４３０は、パネル４００の中心部ＣＰ側に一端部４３１および他端部４３２を有し、パネル４００の外周縁（周縁）４１０側に頂部４３３Ａを有している。
【００１４】
ここで、第１スコア線４３０の一端部４３１は、パネル４００の中心部ＣＰとパネル４００に形成された突出部４２０とを結ぶ第１仮想線ＣＬ１の一方側に配置されている。また他端部４３２は、第１の仮想線ＣＬ１を挟み上記一端部４３１が設けられている側とは反対側に設けられている。また、一端部４３１および他端部４３２が互いに離れた状態で設けられることによって、一端部４３１と他端部４３２との間には、第１スコア線４３０が設けられていない不連続部が設けられた状態となっている。この不連続部が設けられることによって、後述する舌片部がパネル４００から離脱せず舌片部がパネル４００に取り付いたままの状態となる。
【００１５】
また、上記第１仮想線ＣＬ１と直交する仮想線であって突出部４２０を通る第２仮想線ＣＬ２を想定した場合に、上記一端部４３１および他端部４３２は、この第２仮想線ＣＬ２よりもパネル４００の中央部ＣＰ側に設けられている。付言すると、図１において、一端部４３１および他端部４３２は、リベット９００よりも上方に設けられている。また上記第１仮想線ＣＬ１と直交する仮想線であってパネル４００の中心部ＣＰを通る第３仮想線ＣＬ３を挟んで相対する２つの領域のうちの一方の領域内に頂部４３３Ａが設けられ、他方の領域内に一端部４３１および他端部４３２が設けられている。さらに、この一方の領域内に、突出部４２０が設けられている。突出部４２０をこのように一方の領域内に設けた場合、突出部４２０をパネル４００の中央部ＣＰに設ける場合に比べ、舌片部（後述）を曲げる際に要する操作荷重が小さくなる。
【００１６】
さらに説明すると、リベット９００となる突出部４２０は、パネル４００のうちの第１スコア線４３０により囲まれている部位であって、第１スコア線４３０の一端部４３１および他端部４３２よりも頂部４３３Ａ側に位置する部位に設けられている。また第１スコア線４３０は、図２−１に示すように湾曲部４３３を有している。この湾曲部４３３は、一端部４３１と他端部４３２とを結ぶとともに突出部４２０が設けられている側に膨らみ且つ突出部４２０よりもパネル４００の外周縁４１０側を通るように設けられている。
【００１７】
また湾曲部４３３は、第１仮想線ＣＬ１と交わる箇所に頂部４３３Ａを有している。また本実施形態における缶蓋３００では、パネル４００のうち第１スコア線４３０により囲まれた領域内に、この第１スコア線４３０により囲まれた領域の剛性を高める補強用ビードＨＢが形成されている。また補強用ビートＨＢの一端部には、上方（飲料缶１００の外側）に向かって突出しタブ５００の先端により押圧されるエンボスＥＢが設けられている。このエンボスＥＢが設けられることによって、エンボスＥＢがない場合に比べ、第２スコア線４５０（詳細は後述）におけるパネル４００の破断が生じやすくなる。
【００１８】
ここで本実施形態では、ユーザによりタブ５００が操作されることで、第１スコア線４３０により囲まれた領域がタブ５００により押圧され、第１スコア線４３０が形成されている箇所にてパネル４００の破断が生じる（詳細は後述）。これにより、第１スコア線４３０が形成されている領域が舌片状となり、且つ、この領域が飲料缶１００の内部に向かって折れ曲がる。これにより、飲料缶１００に飲み口としての役割を果たす開口が形成される。なお本明細書では、第１スコア線４３０にて生じる破断により形成される上記舌片状の部位を舌片部と称する場合がある。また本実施形態では、第２のスコア線４５０（詳細は後述）の湾曲部４５４（パネル４００の破断が最初に生じる箇所）がパネル４００の中央部ＣＰ側に寄せられて配置されている。このような場合、パネル４００の外周縁４１０側にてパネル４００の破断が最初に生じる場合に比べ、内部の飲料がこぼれにくくなっている。
【００１９】
また本実施形態では、パネル４００の表面に、第２スコア線４５０が形成されている。なおこの第２スコア線４５０も、パネル４００の表面に形成された溝により構成されており、パネル４００の破断を誘導する役割を果たす。第２スコア線４５０は、第２仮想線ＣＬ２を挟み相対する２つの領域のうちの、頂部４３３Ａ（第１スコア線４３０の頂部４３３Ａ）が設けられている領域内に設けられている。また第２スコア線４５０は、一端部４５１および他端部４５２を有している。ここで第２スコア線４５０の他端部４５２は、第１スコア線４３０の湾曲部４３３に接続されている。より具体的には、第１スコア線４３０の湾曲部４３３のうちの第１仮想線ＣＬ１と第２仮想線ＣＬ２との間に位置する部位に接続されている。
【００２０】
一方で、第２スコア線４５０の一端部４５１は、突出部４２０の近傍に設けられている。さらに説明すると、第２スコア線４５０の一端部４５１は、第１仮想線ＣＬ１を挟んで相対する２つの領域のうちの一方の領域側に配置され、第２スコア線４５０の他端部４５２はこの２つの領域のうちの他方の領域側に配置されている。さらに説明すると、第２スコア線４５０は、他端部４５２から突出部４２０に向かう直線部４５３を有している。さらに、この直線部４５３に接続されるとともに円柱状に形成された突出部４２０との間に距離を有して配置され且つ突出部４２０に沿うように設けられた湾曲部４５４を有している。ここでこの湾曲部４５４は、突出部４２０と第１スコア線４３０との間に形成されている。より詳細には、第１スコア線４３０の頂部４３３Ａと突出部４２０との間に形成されている。付言すると、第１仮想線ＣＬ１上において、突出部４２０と第１スコア線４３０との間に、第２スコア線４５０の湾曲部４５４が配置されている。
【００２１】
ここで図２−２（パネル４００の状態を説明するための図）も参照しながら、タブ５００が操作された際のパネル４００の状態を説明する。なお、図２−２では、パネル４００を正面から眺めた場合の状態、および、パネル４００を側方から眺めた場合の状態を図示している。
本実施形態では、タブ５００の後端部がユーザにより持ちあげられた際、タブ５００の先端部（タブノーズ）５１０（図１参照）が、第２スコア線４５０の湾曲部４５４と第１スコア線４３０の頂部４３３Ａとの間の領域ＲＡ（図２−１の破線を参照）を押圧する。そして領域ＲＡがタブ５００により押圧されると、まず、この領域ＲＡとリベット９００（突出部４２０）との間を通過するように設けられた第２スコア線４５０の湾曲部４５４にてパネル４００が破断する（図２−２の（Ｂ）参照）。その後、第２スコア線４５０に沿って破断が進行し、第１スコア線４３０と第２スコア線４５０との接続部まで、パネル４００が破断した状態となる。
【００２２】
ここで本実施形態では、第１スコア線４３０と第２スコア線４５０との上記接続部にて、スコア線が分岐した状態となっている。このため、第２スコア線４５０の上記湾曲部４５４から上記接続部までパネル４００の破断が進行した後、本実施形態では、図２−２の（Ｃ）に示すように、接続部から頂部４３３Ａを経て第１スコア線４３０の一端部４３１まで破断が進行する。また、図２−２の（Ｄ）に示すように、接続部から第１スコア線４３０の他端部４３２に向かっての破断も進行する。これにより、第１スコア線４３０により囲まれていた領域が上述した舌片部となる。また、舌片部の根元（第１スコア線４３０の一端部４３１と他端部４３２との間に位置する箇所）にて舌片部は折り曲げられ、図２−２（Ｅ）に示すように、舌片部は飲料缶１００の内部に進入する。これにより飲料缶１００には飲み口として機能する開口が形成される。なお詳細は後述するが、引き起こされたタブ５００が元の状態に戻される際には、図２−２（Ｆ）に示すように、タブ５００が折れ曲がる。
【００２３】
また本実施形態では、図２−１に示すように、第１スコア線４３０の一端部４３１と他端部４３２との間に位置する領域に、溝６００が設けられている。この溝６００は、円弧を描き湾曲して形成されるとともに第１スコア線４３０の一端部４３１が設けられている側から他端部４３２が設けられている側に向かうように設けられている。付言すると、第２仮想線ＣＬ２（第３仮想線ＣＬ３）に沿うように設けられている。このため本実施形態における飲料缶１００では、舌片部の折れ曲がりが生じやすくなっている。また本実施形態では、溝６００が湾曲して形成されているため、曲がった舌片部が元の状態に戻りにくくなっている。なお溝６００は必ずしも必要ではなく溝６００は省略することもできる。
【００２４】
次にタブ５００について詳細に説明する。
図３および図４は、タブ５００を説明するための図である。また図５は、ユーザによりタブ５００が操作されパネル４００に開口が形成された際の状態を示した図である。なお図３（Ａ）はタブ５００の正面図であり、同図（Ｂ）は同図（Ａ）の矢印ＩＩＩＢ方向からタブ５００を眺めた場合の図である。また、同図（Ｃ）はタブ５００の裏面図である。付言すると、パネル４００と対向する対向面側からタブ５００を眺めた場合の図である。また同図（Ｄ）は、同図（Ａ）の矢印ＩＩＩＤ方向からタブ５００を眺めた場合の図である。また図４（Ａ）はタブ５００に設けられた伸長部（後述）を説明するための図であり、同図（Ｂ）はタブ５００が引き起こされた際の状態を示した図である。
【００２５】
本実施形態におけるタブ５００は、図３（Ａ）に示すように、板状に形成され且つ矩形状に形成されたタブ本体部５２０を有している。なお本実施形態では、同図（Ｄ）に示すように、このタブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。これにより本実施形態のタブ５００は曲げ剛性が高められている。さらにタブ５００には、パネル４００を押圧する先端部５１０が設けられている側とは反対側（タブテール側）に、ユーザの指が引っ掛けられる貫通孔（フィンガーホール）５３０が形成されている。
【００２６】
またタブ５００には、タブ５００の先端部５１０側に、パネル４００に設けられた突出部４２０（図２−１参照）が挿入される挿入孔５４０が形成されている。さらに、タブ５００の長手方向に沿った長穴５５０が、タブ５００の先端部５１０側に形成されている。ここで、この長穴５５０は、タブ５００の幅方向（長手方向と直交する方向）において、２つ並んだ状態で設けられている。なお本実施形態では、この２つの長穴５５０の間に挿入孔５４０が設けられている。また、挿入孔５４０よりもタブ５００の後端側であって、上記２つの長穴５５０の間に位置する領域には、タブ本体部５２０と一体で形成された伸長部５６０が形成されている。
【００２７】
ここで伸長部５６０は、タブ５００の先端部５１０側に位置する一端側がリベット９００（図１参照）に接続され、タブ５００の後端部側に位置する他端側がタブ本体部５２０に接続される。また図４（Ａ）に示すように、本実施形態では、板状に形成された上記タブ本体部５２０（図３（Ａ）参照）に対して曲げ加工が施されており、伸長部５６０には、互いに交差する関係の第１片部５６１および第２片部５６２が設けられている。付言すると、伸長部５６０には、タブ本体部５２０を構成する板部材が屈曲した屈曲部が形成された状態となっている。ここで第１片部５６１は、タブ５００の後端部に向かうに従いパネル４００から離れるように配置されている。また第２片部５６２は、第１片部５６１に前端部が接続されタブ５００の後端部に向かうに従いパネル４００に接近するように配置されている。
【００２８】
また図３（Ａ）を参照してタブ５００についてさらに説明を行うと、タブ本体部５２０の四方に設けられた４つのカール部のうちタブ５００の長手方向に沿って設けられたカール部には第１スリット５２１が形成されている。また４つのカール部のうちタブ５００の長手方向に沿って設けられたもう一つのカール部には、第２スリット５２２が形成されている。さらに、タブ本体部５２０のうち第１スリット５２１と第２スリット５２２との間に位置する部位には、溝５２３が形成されている。
【００２９】
ここで、第１スリット５２１、第２スリット５２２、溝５２３は、互いに接続され連続した状態で設けられている。また、第１スリット５２１、第２スリット５２２、溝５２３は、タブ５００の幅方向に沿って設けられている。また、第１スリット５２１、第２スリット５２２、溝５２３は、挿入孔５４０と貫通孔５３０との間に配置されている。ここで本実施形態ではこのように第１スリット５２１、第２スリット５２２、溝５２３が形成されており、これらが形成された部分の剛性（曲げ剛性）が低下している。このため、図３（Ｂ）に示すように、タブ５００の後端部側に荷重を加えるとタブ５００が折れ曲がるようになる。付言するとタブが屈曲するようになる。ここで本実施形態では、第１スリット５２１と第２スリット５２２との間に溝５２３を形成してこの部分の剛性を低下させたが、このような溝に限らず、例えば曲げ加工を施すことで剛性を低下させることができる。また溝５２３は必ずしも必要ではなく溝５２３は省略することもできる。
【００３０】
次にタブ５００が操作された際の各部の状態を説明する。
ユーザによりタブ５００が操作される際には、タブ５００の後端部とパネル４００との間にユーザの指が挿入され、図４（Ｂ）に示すように、タブ５００が引き起こされる。ここでこの際、まず、第１片部５６１と第２片部５６２とにより形成された伸長部５６０が延びるようになる。付言すると、第１片部５６１と第２片部５６２とによって折れ曲がった状態にあった伸長部５６０が直線状となり、伸長部５６０が伸びるようになる。そして、伸長部５６０が伸びきると（伸長が停止すると）、伸長部５６０からリベット９００に荷重が伝わるようになり、リベット９００を上方に引っ張り上げようとする力がリベット９００に作用する。
【００３１】
その一方で、タブ５００の先端部５１０がパネル４００に接触しており、パネル４００を下方に向かって押圧する力がパネル４００に作用する。これにより、タブ５００の先端部５１０とリベット９００との間に位置する、第２スコア線４５０の湾曲部４５４（図２−１参照）にて、パネル４００の破断が発生する。その後、上記にて説明したように、第２スコア線４５０に沿って破断が進行し、次いで、第１スコア線４３０に沿って破断が進行する。これにより、第１スコア線４３０により囲まれていた領域に舌片部が形成される。また、第１スコア線４３０により囲まれていた領域に開口が形成される。
【００３２】
なお本実施形態では、パネル４００に開口が形成される際、図４（Ｂ）に示すように、タブ５００がパネル４００に対してある程度の角度を有するようになり、パネル４００のうちのリベット９００に近い箇所にタブ５００からの荷重が集中して作用するようになる。ここで多くの飲料缶では、スコア線により囲まれた領域に対して寝た状態（パネル４００に沿った状態）のタブ５００が接触するため、スコア線における破断が生じにくく、タブ５００を引き起こす際の操作荷重は大きくなりやすい。その一方で本実施形態における構成では、上記のように、パネル４００のうちのリベット９００に近い箇所にタブ５００からの荷重が集中して作用するため、スコア線における破断が生じやすく、タブ５００を引き起こす際の操作荷重が小さくなる。
【００３３】
また上記のように、伸長部５６０が伸び伸長部５６０からリベット９００に荷重が伝わるようになると、図４（Ｂ）の矢印４Ａに示すような回転モーメントが舌片部に作用する。これにより、舌片部の根元を中心として舌片部が回転し、この根元にて舌片部の折れ曲がりが生じる。また、この折れ曲がりによって舌片部が飲料缶１００の内部に進入していく。さらに、舌片部の飲料缶１００の内部への進入により、図５（Ａ）に示すように、タブ５００の先端部側が飲料缶１００の内部へ入り込む。
【００３４】
なお図５（Ａ）は、タブ５００が起立しパネル４００とタブ５００とが直交している状態を示している。その後、引き起こされたタブ５００がユーザにより元の状態に戻されることとなるが、この際、上記にて説明した、第１スリット５２１、第２スリット５２２、および溝５２３にて、タブ５００の折れ曲がりが生じるようになる。この結果、図５（Ｂ）に示すように、タブ５００の後端部側がパネル４００に沿うようになる。その一方で、タブ５００の先端部側は飲料缶１００の内部に入り込んだ状態となる。
【００３５】
ここで飲料缶１００の直径を小さくしたい場合（パネル４００が小さくなる場合）、第１スコア線４３０により囲まれた領域（開口となる領域、舌片部となる領域）とタブ５００とを接近させて配置する必要が生じる。ところでこの場合、第１スコア線４３０により囲まれた領域とタブ５００とが重なる領域の面積が大きくなる。また開口（飲み口）を大きくした場合にも、第１スコア線４３０により囲まれた領域とタブ５００とが重なる領域の面積が大きくなる。ところでこの場合、内部の飲料が出にくくなったりしユーザは飲料を飲みにくくなる。このため本実施形態では、上記のように、タブ５００のうち飲み口と重なる部分（舌片部と重なる部分）を飲料缶１００の内部に入り込ませる構成としている。この場合、開口の面積が大きくなり、タブ５００の先端側が飲料缶１００の内部に入り込まない構成に比べ、ユーザは内部の飲料を飲みやすくなる。
【００３６】
なお図６（缶蓋３００の他の構成例を示した図）に示すように、リベット９００により固定される部位の周囲にスリット７００が設けられたタブ５００が使用されることも多い。ところでこのようなタブ５００を図２−１にて示したパネル４００に取り付けた場合、スリット７００が設けられているためにリベット９００を上方に引き上げる力（引っ張る力）（図４（Ｂ）の符号４Ｂ参照）はリベット９００に働かず、図４（Ｂ）の矢印４Ａで示した回転モーメントはかからなくなる。そしてこの場合、舌片部の根元での舌片部の折れ曲がりが生じにくくなる。付言するとリベット９００が設けられている箇所にて舌片部の折れ曲がりが生じるようになるが、舌片部の根元での舌片部の折れ曲がりは生じにくくなる。そしてこの場合、パネル４００に形成される開口が小さいものとなってしまう。
【００３７】
このため本実施形態では、タブ５００のうちリベット９００の後方に位置する部位と、このリベット９００とを伸長部５６０で接続する構成としている。この構成によって、リベット９００を上方に引き上げる力が大きくなり、舌片部に作用する回転モーメントが大きくなる。これにより、舌片部の根元にて舌片部の曲がりが生じ舌片部の全体が飲料缶１００の内部に進入するようになる。
【００３８】
なお伸長部を設けない構成であっても上記回転モーメントを大きくことができる。例えば、タブ５００のうちのリベット９００の後方に位置する部位と、このリベット９００とを単に接続するだけでも、回転モーメントは大きくなる。しかしながらこの場合、タブ５００を引き起こす際の操作性が低下してしまう。より具体的に説明すると、通常、タブ５００を引き起こす際には、タブ５００とパネル４００との間に指が入れられたうえでタブ５００の引き起こしが行われる。ところで、上記のように、リベット９００の後方に位置する部位とリベット９００とを接続した場合、タブ５００の変位（タブ５００の後端部の上方への変位）がリベット９００により規制され、タブ５００の変位が起こりにくくなってしまう。そしてこの場合、ユーザの指がパネル４００とタブ５００との間に入りこみにくくなり、タブ５００を引き起こす際の操作性が低下する。
【００３９】
このため本実施形態では、伸長部５６０を設ける構成としている。このように伸長部５６０を設けた場合、タブ５００が予め定められた所定の角度（例えば、６０°）となるまでは伸長部５６０が伸びるようになり、タブ５００がこの予め定められた所定の角度となるまで、タブ５００の変位のリベット９００による規制がなされにくくなる。そしてこのように規制がなされにくくなると、タブ５００とパネル４００との間に指が入りやすくなる。この結果、本実施形態の構成では、タブ５００を引き起こす際の操作性の低下が抑制される。
【００４０】
なお上記では、溝６００（図２−１参照）を湾曲させて形成したが、図７（溝６００の他の態様を示した図）の（Ａ）に示すように、直線状に溝６００を形成することもできる。また、直線状の溝６００は、同図（Ｂ）に示すように複数本に分け分断した状態で設けることもできる。さらに同図（Ｃ）に示すように、複数本（本実施形態では２本）設けられた溝６００間に、点状の凹部６１０を設けることもできる。なおこれらの態様では、溝６００が湾曲している場合に比べ舌片部が元の状態に戻りやすくなるが、溝６００が全く形成されていない場合に比べ、舌片部が曲がりやすくなる。付言すると、溝６００が全く形成されていない場合に比べ、タブ５００を引き起こす際に要する操作力が小さくなる。なお上記および下記では、溝６００および凹部６１０が、飲料缶１００の内部側に凹んでいる態様を説明するが、飲料缶１００の外部側に凸となるように形成してもよい。
【００４１】
また、直線状に設けられた２本の溝６００は、図８（溝６００の他の態様を示した図）の（Ａ）に示すように、同一の直線状に配置した状態ではなく、互いに交差する関係の２つの直線（不図示）の上にそれぞれ設けることができる。付言すると、２本の溝６００をハの字状に配置することができる。なお図８（Ａ）では、２本の溝６００の各々が、第１仮想線ＣＬ１から離れるに従い第２仮想線ＣＬ２に接近するように配置されているが、図９（溝６００の他の態様を示した図）の（Ａ）に示すように、２本の溝６００の各々は、第１仮想線ＣＬ１から離れるに従い第２仮想線ＣＬ２から離れるように配置することもできる。また２本の溝６００を、図８（Ｂ）、図９（Ｂ）に示すように、接続して設けることもできる。さらに、図８（Ｃ）、図９（Ｃ）に示すように、２本の溝６００の間に、点状の凹部６１０を設けることもできる。
【００４２】
また図８（Ａ）に示した直線状の２本の溝６００は、図１０（溝６００の他の態様を示した図）の（Ａ）に示すように、突出部４２０から離れる方向に向かって膨らむように湾曲した状態で形成することもできる。また、図１０（Ｂ）に示すように、突出部４２０から離れる方向に膨らむ２本の溝６００の間に、点状の凹部６１０を設けることもできる。また、図２−１では、突出部４２０から離れる方向に向かって膨らむ溝６００を例示したが、図１１（溝６００の他の態様を示した図）の（Ａ）に示すように、溝６００は、突出部４２０に接近する方向に向かって膨らむように形成してもよい。また図９（Ａ）に示した直線状に形成された２本の溝６００は、図１１の（Ｂ）に示すように、突出部４２０が設けられている側に向かって膨らむように湾曲した状態で形成することもできる。また、図１１（Ｃ）に示すように、２本の溝６００の間に、点状の凹部６１０を設けることもできる。
【００４３】
なお溝６００の形状に特に制限はないが、溝６００は、図１２に示す形状で形成することができる。図１２は、溝６００の形状の一例を示した図である。溝６００は、例えば、同図（Ａ）に示すように、パネル４００の表面と略直交する関係を有する第１側面６２１、第２側面６２２、および、第１側面６２１と第２側面６２２とを接続する平坦な底面６２３とを有する形状で形成することができる。なお溝６００の底部には、同図（Ｂ）に示すように曲率を付与してもよい。また溝は、同図（Ｃ）に示すように、断面が三角形となる形状で形成することもできる。なお、上記では、溝６００を形成することで、舌片部の根元の剛性を低下させたが、同図（Ｄ）に示すように、曲げ加工を舌片部の根元に対して施すことで、剛性を低下させることもできる。
【００４４】
次にパネル４００の他の構成について説明する。
図１３は、パネル４００の他の一形態を示した正面図である。
本実施形態のパネル４００では、上記にて説明した第２スコア線４５０は設けられていない。また本パネル４００では、上記第１スコア線４３０に相当するスコア線４６０が設けられている。ここで、図２−１にて示した第１スコア線４３０は、第１仮想線ＣＬ１を中心として線対象となる関係で形成されていたが、本実施形態におけるスコア線４６０は、線対象となる関係で配置されていない。
【００４５】
ここで本実施形態におけるスコア線４６０は、上記第１スコア線４３０と同様に、一端部４６１および他端部４６２を有している。また、一端部４６１からスコア線４６０の頂部４６０Ａにかけての形状は、上記第１スコア線４３０における一端部４３１から頂部４３３Ａ（図２−１参照）にかけての形状と同じとなっている。その一方で、頂部４６０Ａから他端部４６２にかけての形状は、第１スコア線４３０の頂部４３３Ａから他端部４３２にかけての形状とは異なっている。
【００４６】
より具体的に説明すると、本実施形態におけるスコア線４６０の他端部４６２は、突出部４２０の近傍に設けられている。またこの他端部４６２は、第１仮想線ＣＬ１を挟んで相対する２つの領域のうち、一端部４６１が設けられている領域内に設けられている。そして本実施形態では、この他端部４６２を始点とし一端部４６１を終点としてスコア線４６０が延びている。より詳細に説明すると、他端部４６２を出発点として、スコア線４６０は、まず、突出部４２０と頂部４６０Ａとの間を通過する。
【００４７】
その後、スコア線４６０は、突出部４２０の周囲を且つスコア線４６０の頂部４６０Ａが設けられている側とは反対側に向かって進行していく。その後、スコア線４６０は、屈曲し、その進行方向を逆転する。より詳細に説明すると、突出部４２０から離れる方向且つパネル４００の外周縁４１０に向かう方向に向かって円弧を描きながら進行する。さらにスコア線４６０は、スコア線４６０の頂部４６０Ａに向かって進行していく。そして最後に、スコア線４６０は一端部４６１に到達する。なお、スコア線４６０のうち上記屈曲する部位を、本明細書では、以下「屈曲部」と称する。
【００４８】
ここでタブ５００が操作され飲料缶１００に開口が形成される際には、上記と同様、スコア線４６０のうち突出部４２０とスコア線４６０の頂部４６０Ａとの間に位置する部位にて、パネル４００の破断が生じる。その後、パネル４００の破断が、スコア線４６０の頂部４６０Ａを経由してスコア線４６０の上記一端部４６１まで進行していく。これにより上記と同様、舌片部が形成され飲み口となる開口がパネル４００に形成される。なお本実施形態のおけるスコア線４６０では、上記のとおり屈曲部が形成されている。このため、上記図２−１にて示したパネル４００の方が、図１３で示したパネル４００よりも、パネル４００の破断が進行しやすくなっている。
【００４９】
次にタブ５００の他の態様を説明する。
図１４は、タブ５００の他の一形態を示した図である。なお同図（Ａ）はタブ５００の正面図であり、同図（Ｂ）は同図（Ｃ）のＸＩＶＢ−ＸＩＶＢ線における断面図であり、同図（Ｃ）はタブ５００の裏面図である。付言すると、同図（Ｃ）は、パネル４００と対向する対向面側からタブ５００を眺めた場合の図である。
【００５０】
図１４に示すタブ５００では、同図（Ａ）に示すように、タブ本体部５２０に対し、タブ５００の幅方向（タブ５００の長手方向と直交する方向）に延びるスリット５８０が形成されている。また本実施形態におけるタブ５００では、同図（Ｃ）に示すように、タブ５００の裏面側に位置し、タブ本体部５２０に対向する第１対向片５８１および第２対向片５８２が設けられている。ここで、第１対向片５８１は、タブ本体部５２０の縁部のうちタブ本体部５２０の長手方向に沿った縁部に接続されている。また、第２対向片５８２は、タブ本体部５２０の縁部のうちタブ本体部５２０の長手方向に沿った他方の縁部に接続されている。また本実施形態では、第１対向片５８１および第２対向片５８２に対し、タブ５００の幅方向に延びる溝５８３が形成されている。
【００５１】
ここで本実施形態では、同図（Ｂ）の矢印１４Ａに示す方向にタブ５００が引き起こされる。これによりパネル４００に開口が形成されるとともに、この開口を通じ飲料缶１００の内部にタブ５００の先端部５１０が進入する。その後、矢印１４Ｂに示すように、タブ５００が戻される操作が行われると、スリット５８０が設けられている箇所にて、タブ５００は、先端部５１０側と後端部５９０側とに分割される。また、溝５８３が設けられている箇所にてタブ５００の曲がりが発生する。これにより、タブ５００は、折れ曲がった状態となる。そしてこの場合、上記と同様、タブの先端部５１０側が飲料缶１００の内部に入り込んだ状態となる。これにより、飲み口とタブ５００との重なりが抑制される。
【００５２】
次にタブ５００に設けられた伸長部５６０の他の構成例を説明する。
図１５は、タブ５００の伸長部５６０の他の構成例を示した図である。なお図１５（Ａ）はタブ５００の正面図であり、同図（Ｂ）は同図（Ａ）の矢印ＸＶＢ方向からタブ５００を眺めた場合の図である。また、同図（Ｃ）はタブ５００の裏面図である。付言すると、パネル４００と対向する対向面側からタブ５００を眺めた場合の図である。また同図（Ｄ）は、同図（Ａ）の矢印ＸＶＤ方向からタブ５００を眺めた場合の図である。なお、上記にて説明した実施形態と同様の機能については、同様の符号を用いここではその説明を省略する。
【００５３】
図１５にて示す伸長部５６０には、同図（Ａ）に示すように、第１伸長部５６５と第２伸長部５６６とが設けられている。ここで、第１伸長部５６５は、タブ５００の幅方向においてタブ５００の一方の縁部側に設けられ、第２伸長部５６６は、タブ５００の他方の縁部側に設けられている。なお第１伸長部５６５および第２伸長部５６６は同様に構成されているため、以下では第１伸長部５６５について説明する。
【００５４】
第１伸長部５６５は、リベット９００（図１参照）によってパネル４００に固定される固定片５６５Ａを備えている。また第１伸長部５６５は、固定片５６５Ａよりもタブ５００の周縁部側に位置し且つタブ５００の長手方向に沿って設けられ一方の端部（タブ５００の後端部側に位置する端部）が固定片５６５Ａに接続された第１片部５６５Ｂを有している。さらに、第１片部５６５Ｂよりもタブ５００の周縁部側に位置し且つタブ５００の長手方向に沿って設けられるともに一方の端部（タブ５００の先端部側に位置する端部）が第１片部５６５Ｂに接続された第２片部５６５Ｃを有している。なお、この第２片部５６５Ｃの他方の端部は、タブ５００の周縁部に接続されている。
【００５５】
また本実施形態におけるタブ５００では、固定片５６５Ａと第１片部５６５Ｂとの間、第１片部５６５Ｂと第２片部５６５Ｃとの間、第２片部５６５Ｃとタブ５００の周縁部との間に、スリット５６７が形成されている。またタブ本体部５２０のうち固定片５６５Ａよりもタブ５００の後端部側に位置する部位（以下、「後端側部位」と称する）と、この固定片５６５Ａとの間にもスリット５６８が形成されている。さらに、後端側部位と第１片部５６５Ｂとの間、後端側部位と第２片部５６５Ｃとの間にもスリット５６８が形成されている。
【００５６】
ここでタブ５００の引き起こしがユーザによりなされると、図１６（引き起こし操作がなされた際のタブ５００を示した図）に示すように、タブ５００の後端部側が上方へ移動する。そしてこの移動によって、第２片部５６５Ｃがまず引っ張られるようになり伸長部５６０が伸長する。より具体的に説明すると、固定片５６５Ａと第１片部５６５Ｂとの間、第１片部５６５Ｂと第２片部５６５Ｃとの間、および、第２片部５６５Ｃとタブ本体部５２０の周縁部との間に形成された上記スリット５６７にて、タブ５００を構成する板材の破断が発生する。また、上記後端側部位と固定片５６５Ａとの間、後端側部位と第１片部５６５Ｂとの間、後端側部位と第２片部５６５Ｃとの間においても破断が発生する。この結果、伸長部５６０は、図１６に示すように、ひも状に伸長する。そして伸長部５６０の伸長が終了すると、舌片部に作用する回転モーメントが大きくなり、舌片部が飲料缶１００の内部に進入していく。
【００５７】
図１７は、伸長部５６０の他の一形態を説明するための図である。なお同図（Ａ）はタブ５００の正面図であり、同図（Ｂ）は同図（Ａ）の矢印ＸＶＩＩＢ方向からタブ５００を眺めた場合の図である。また、同図（Ｃ）はタブ５００の裏面図である。付言すると、パネル４００と対向する対向面側からタブ５００を眺めた場合の図である。また同図（Ｄ）は、同図（Ａ）の矢印ＸＶＩＩＤ方向からタブ５００を眺めた場合の図である。なお、上記にて説明した実施形態と同様の機能については、同様の符号を用いここではその説明を省略する。
【００５８】
図１７に示す伸長部５６０には、上記と同様に、固定片５６５Ａ、第１片部５６５Ｂ、および、第２片部５６５Ｃが設けられている。ここで本実施形態における第１片部５６５Ｂは、タブ５００の幅方向に沿うように設けられている。また、第２片部５６５Ｃもタブ５００の幅方向に沿うように設けられている。また第１片部５６５Ｂは固定片５６５Ａよりもタブ５００の後端部側に設けられ、第２片部５６５Ｃは第１片部５６５Ｂよりもタブ５００の後端側に設けられている。また、固定片５６５Ａと第１片部５６５Ｂとの間、第１片部５６５Ｂと第２片部５６５Ｃとの間、第２片部５６５Ｃと上記後端側部位との間には、スリット５６９が形成されている。
【００５９】
ここで、タブ５００の引き起こしがユーザによりなされた場合、上記と同様、図１８（引き起こし操作がなされた際のタブ５００を示した図）に示すように、タブ５００の後端部が上方へ移動する。そしてこの移動によって、伸長部５６０が伸長する。より具体的に説明すると、固定片５６５Ａと第１片部５６５Ｂとの間、第１片部５６５Ｂと第２片部５６５Ｃとの間、第２片部５６５Ｃと後端側部位との間に形成されたスリット５６９にて、タブ５００を構成する板材の破断が発生する。この結果、伸長部５６０が図１８に示すように、ひも状に伸長する。そして伸長部５６０の伸長が終了すると、上記と同様に、舌片部に作用する回転モーメントが大きくなり、舌片部が飲料缶１００の内部に進入していく。
【００６０】
また伸長部５６０は、図１９（伸長部５６０の他の一形態を説明するための図）に示すように構成することができる。なお同図（Ａ）はタブ５００の正面図であり、同図（Ｂ）は同図（Ａ）の矢印ＸＩＸＢ方向からタブ５００を眺めた場合の図である。また、同図（Ｃ）はタブ５００の裏面図である。付言すると、パネル４００と対向する対向面側からタブ５００を眺めた場合の図である。また同図（Ｄ）は、同図（Ａ）の矢印ＸＩＸＤ方向からタブ５００を眺めた場合の図である。なお、上記にて説明した実施形態と同様の機能については、同様の符号を用いここではその説明を省略する。
【００６１】
図１９に示す伸長部５６０は、同図（Ｂ）に示すように、タブ本体部５２０の裏面（パネル４００と対向する対向面）から突出する第１突出片５５５、第１突出片５５５よりもタブ５００の先端部側に位置し同じくタブ本体部５２０の裏面から突出する第２突出片５５６、タブ本体部５２０の裏面との間に間隙を有して配置され第１突出片５５５の端部と第２突出片５５６の端部とを接続する接続片５５７とを有している。ここで本実施形態では、接続片５５７に対し、突出部４２０（図２−１参照）が挿入される挿入口５４０が形成されている。なおこの挿入口５４０は、第２突出片５５６が設けられた側に寄った状態で配置されている。また本実施形態では、第１突出片５５５と接続片５５７とが互いに交差（直交）する関係で配置されることによって、第１突出片５５５および接続片５５７が設けられている箇所に、タブ本体部５２０の一部が屈曲した屈曲部が形成された状態となっている。
【００６２】
ここでタブ５００の引き起こしがユーザによりなされた場合、図２０（引き起こし操作がなされる際のタブ５００の状態を示した図）の（Ａ）の状態から（Ｂ）に示す状態にタブ５００は変位する。より具体的に説明すると、タブ５００の後端部側が上方に向かって移動するとともにタブ５００の先端部側が下方に向かって移動し且つこの先端部側がパネル４００に接触する。そしてこのタブ５００の先端部側のパネル４００に対する接触により、パネル４００に開口が形成される。また、タブ５００の後端部側が上方に向かって移動する際には、第１突出片５５５と接続片５５７とにより形成された上記屈曲部が直線上となる。即ちこの場合も、伸長部５６０が伸長するようになる。そしてこの伸長によって、上記と同様、舌片部に作用する回転モーメントが大きくなり、舌片部が飲料缶１００の内部に進入していく。
【符号の説明】
【００６３】
２００…容器本体、３００…缶蓋、４００…パネル、４１０…外周縁、４３０…第１スコア線、４３１…一端部、４３２…他端部、４３３Ａ…頂部、４５０…第２スコア線、５００…タブ、５２１…第１スリット、５２２…第２スリット、５２３…溝、５６０…伸長部、９００…リベット、ＣＬ…第３仮想線、ＣＰ…中心部
【図１】
0005591071.tif 000002
【図２−１】
0005591071.tif 000003
【図２−２】
0005591071.tif 000004
【図３】
0005591071.tif 000005
【図４】
0005591071.tif 000006
【図５】
0005591071.tif 000007
【図６】
0005591071.tif 000008
【図７】
0005591071.tif 000009
【図８】
0005591071.tif 000010
【図９】
0005591071.tif 000011
【図１０】
0005591071.tif 000012
【図１１】
0005591071.tif 000013
【図１２】
0005591071.tif 000014
【図１３】
0005591071.tif 000015
【図１４】
0005591071.tif 000016
【図１５】
0005591071.tif 000017
【図１６】
0005591071.tif 000018
【図１７】
0005591071.tif 000019
【図１８】
0005591071.tif 000020
【図１９】
0005591071.tif 000021
【図２０】
0005591071.tif 000022